(57)【要約】【課題】複数の戸を簡単に開閉できる戸開閉装置を提供する。【解決手段】雨戸２，３と、雨戸２，３を積層状態で収納する戸袋部６、雨戸２，３を１の平面上に直列した直列状態で支持する支持部８とを形成する本体フレーム７と、雨戸２，３のうち一方の戸を、相対的に積層方向及び直列方向に平行移動可能に連結する連結ユニット２５と、引き出し時に先頭に位置する雨戸２を駆動することにより、雨戸２，３を戸袋部６と支持部８との間で移動させる駆動機構１１と、雨戸３と本体フレーム７との間に構成され、直列状態における雨戸２，３の移動を規制するロック機構１２と、ロック機構１２による規制を手動で解除する解除ピン３４と、雨戸２，３の開閉及び停止を指示するための操作ボタン３５〜３７及びその操作に基づいて雨戸２，３の開閉及び停止を制御する制御部４４を有する制御盤９とを備えた。【選択図】　　　図７
2004124533.tif 000002
【特許請求の範囲】
【請求項１】
平面状の複数の戸を表裏面が対面する状態で収納する戸袋部と、前記戸袋部に連接して配置され、該戸袋部から引き出されたときに隣接する戸の側端面が互いに当接した直列配置状態で戸を支持する支持部とを備える本体フレームと、
前記引き出し時に先頭となる戸を前記収納位置と引き出し位置との間で移動させる駆動部と、
互いに隣接する戸との間で設けられ、該隣接する戸を連結する連結構造と、
前記駆動部を正逆方向に作動させる制御を行う駆動制御部と、
前記駆動制御部に前記駆動部の制御を指示するための開閉指示部と、
少なくとも１の戸と前記本体フレームとの間に構成され、前記複数の戸が引き出し位置に位置したとき、該１の戸の移動を規制するロック機構と、
を備えることを特徴とする戸開閉装置。
【請求項２】
前記ロック機構による規制を手動解除可能な解除操作部を備えたことを特徴とする請求項１に記載の戸開閉装置。
【請求項３】
前記連結構造は、互いに隣接する戸の一方の戸の裏面に幅方向に亘って形成されたガイド部材と、前記互いに隣接する戸の他方の戸の裏面側端部に取り付けられ、先端が前記ガイド部材にスライド可能に係合する係合部を備えた連結部材とからなることを特徴とする請求項１または２に記載の戸開閉装置。
【請求項４】
前記戸の前記当接面となる側端面は傾斜面とされていることを特徴とする請求項１ないし３のいずれかに記載の戸開閉装置。
【請求項５】
前記戸袋部には、前記収納位置と引き出し位置との間で複数の戸を前記表裏対面姿勢と直列配置姿勢との間に切り換える切換ガイドを備えていることを特徴とする請求項１ないし４のいずれかに記載の戸開閉装置。
【請求項６】
前記ロック機構は、前記開閉指示部からの開成指示があったとき、ロック状態を解除する解除手段を備えることを特徴とする請求項１ないし５のいずれかに記載の戸開閉装置。
【請求項７】
前記駆動部は、電動モータと、少なくとも２つのローラと、モータ回転軸を介して前記２つのローラ間に張設され、一部で前記引き出し時に先頭となる戸に係止する係止部材とからなることを特徴とする請求項１ないし６のいずれかに記載の戸開閉装置。
【請求項８】
前記駆動制御部は、前記駆動部の駆動負荷の変動から前記引き出し時に先頭となる戸が引き出し位置に達したことを検出し、前記駆動部の作動を停止させるものであることを特徴とする請求項１ないし７のいずれかに記載の戸開閉装置。
【発明の詳細な説明】
【０００１】
【発明の属する技術分野】
本発明は、複数の戸に、平面状の複数の戸を表裏面が対面する状態で収納する戸袋部と、前記戸袋部に連接して配置された、該戸袋部から引き出されたときに隣接する戸の側端面が互いに当接した直列配置状態で戸を支持する支持部との間でスライドさせる戸開閉装置に関する。
【０００２】
【従来の技術】
従来、建築物に存在するガラス窓等を風雨などから保護したり、侵入者の侵入を防止するための雨戸は、該雨戸を直立姿勢で積層的に収納する戸袋から順次、人の手によって引き出され、ガラス窓等を覆うように各雨戸が直列に並べられる一方、収納時には、引出し時に最後に引き出された雨戸から順次、人の手によって戸袋内に収納されるように構成されている。（例えば、実用新案登録文献１参照）。
【０００３】
【実用新案登録文献１】
実用新案登録第２６０２８４７号公報
【０００４】
【発明が解決しようとする課題】
しかしながら、このように雨戸を戸袋内に積層的に収納したり、戸袋から引き出して直列に並べたりする作業は面倒であった。特に、戸袋から雨戸を引き出して直列に並べる作業は、風雨が比較的強まったときに行われることも多く、この場合、上記の作業は極めて煩わしいものとなる。また、雨戸が比較的大きなサイズのものであったり、比較的重量の大きいものである場合には、面倒であることに加えて、非常に重労働となる。
【０００５】
本発明は、このような事情に鑑みてなされたもので、複数の戸を簡単に開閉できる戸開閉装置を提供することを目的とする。
【０００６】
【課題を解決するための手段】
請求項１に記載の発明は、平面状の複数の戸を表裏面が対面する状態で収納する戸袋部と、前記戸袋部に連接して配置され、該戸袋部から引き出されたときに隣接する戸の側端面が互いに当接した直列配置状態で戸を支持する支持部とを備える本体フレームと、前記引き出し時に先頭となる戸を前記収納位置と引き出し位置との間で移動させる駆動部と、互いに隣接する戸との間で設けられ、該隣接する戸を連結する連結構造と、前記駆動部を正逆方向に作動させる制御を行う駆動制御部と、前記駆動制御部に前記駆動部の制御を指示するための開閉指示部と、少なくとも１の戸と前記本体フレームとの間に構成され、前記複数の戸が引き出し位置に位置したとき、該１の戸の移動を規制するロック機構とを備えることを特徴とする戸開閉装置である。
【０００７】
この発明によれば、平面状の複数の戸は、戸袋部において、表裏面が対面する状態で収納される一方、戸袋部に連接して配置された支持部において、戸袋部から引き出されたときに隣接する戸の側端面が互いに当接した直列配置状態で支持される。そして、複数の戸は、連結構造により互いに隣接する戸が連結された状態で、駆動部により戸袋部と支持部との間で移動される。また、少なくとも１の戸と本体フレームとの間に構成されたロック機構により、複数の戸が引き出し位置に位置したとき、この１の戸の移動が規制される。また、開閉指示部により駆動制御部に駆動部の制御が指示されると、駆動制御部により駆動部を正逆方向に作動させる制御が行われ、その結果、複数の戸の開閉動作が自動的に行われる。
【０００８】
請求項２に記載の発明は、請求項１に記載の戸開閉装置において、前記ロック機構による規制を手動解除可能な解除操作部を備えたことを特徴とするものである。この発明によれば、ロック機構による規制を手動解除可能な解除操作部を備えたので、ロック機構による規制を手動で解除することができる。
【０００９】
請求項３に記載の発明は、請求項１または２に記載の戸開閉装置において、前記連結構造は、互いに隣接する戸の一方の戸の裏面に幅方向に亘って形成されたガイド部材と、前記互いに隣接する戸の他方の戸の裏面側端部に取り付けられ、先端が前記ガイド部材にスライド可能に係合する係合部を備えた連結部材とからなることを特徴とするものである。この発明によれば、互いに隣接する戸の一方の戸の裏面に幅方向に亘ってガイド部材を形成するとともに、互いに隣接する戸の他方の戸の裏面側端部に、先端がガイド部材にスライド可能に係合する係合部を取り付けたので、複数の戸が、表裏面が対面する状態と戸袋部から引き出されたときに隣接する戸が直列配置する状態との間で移動することが可能となる。
【００１０】
請求項４に記載の発明は、請求項１ないし３のいずれかに記載の戸開閉装置において、前記戸の前記当接面となる側端面は傾斜面とされていることを特徴とするものである。この発明によれば、戸の当接面となる側端面を傾斜面としたので、表裏面が対面する状態と戸袋部から引き出されたときに隣接する戸が直列配置する状態との間の移動がスムーズにガイドされる。
【００１１】
請求項５に記載の発明は、請求項１ないし４のいずれかに記載の戸開閉装置において、前記戸袋部には、前記収納位置と引き出し位置との間で複数の戸を前記表裏対面姿勢と直列配置姿勢との間に切り換える切換ガイドを備えていることを特徴とするものである。この発明によれば、戸袋部に、収納位置と引き出し位置との間で複数の戸を表裏対面姿勢と直列配置姿勢との間に切り換える切換ガイドを備えたので、この切換ガイドにより、収納位置と引き出し位置との間で、複数の戸を表裏対面姿勢と直列配置姿勢とに切り換えることができる。
【００１２】
請求項６に記載の発明は、請求項１ないし５のいずれかに記載の戸開閉装置において、ロック機構は、前記開閉指示部からの開成指示があったとき、ロック状態を解除する解除手段を備えることを特徴とするものである。この発明によれば、開閉指示部からの開成指示があったときにロック状態を解除する解除手段を備えたので、開閉指示部からの開成指示があったときにロック状態が自動的に解除される。
【００１３】
請求項７に記載の発明は、請求項１ないし６のいずれかに記載の戸開閉装置において、前記駆動部は、電動モータと、少なくとも２つのローラと、モータ回転軸を介して前記２つのローラ間に張設され、一部で前記引き出し時に先頭となる戸に係止する係止部材とからなることを特徴とするものである。この発明によれば、駆動部を、電動モータと、少なくとも２つのローラと、モータ回転軸を介して前記２つのローラ間に張設され、一部で前記引き出し時に先頭となる戸に係止する係止部材とから構成したので、戸の開閉駆動を行う駆動部の構造を簡単に構成することが可能となる。
【００１４】
請求項８に記載の発明は、請求項１ないし７のいずれかに記載の戸開閉装置において、前記駆動制御部は、前記駆動部の駆動負荷の変動から前記引き出し時に先頭となる戸が引き出し位置に達したことを検出し、前記駆動部の作動を停止させるものであることを特徴とするものである。この発明によれば、駆動制御部を、駆動部の駆動負荷の変動から引き出し時に先頭となる戸が引き出し位置に達したことを検出し、駆動部の作動を停止させるものとしたので、引き出し位置に達したことを検出する検出センサ等を備えることが必要なく、コストの低減を図ることが可能となる。
【００１５】
【発明の実施の形態】
本発明に係る戸開閉装置１の実施形態について説明する。
【００１６】
図１は、戸開閉装置１の構成及び動作を概略的に示した平面図である。なお、本実施形態では、説明の簡単化のため、戸開閉装置１内に備えられる雨戸を２枚（雨戸２と雨戸３）としているが、雨戸の枚数はこれに限られず、必要に応じてその枚数は適宜設定可能である。
【００１７】
戸開閉装置１は、例えばガラス窓４を覆うようにして家屋の外壁５に取り付けられており、図１（ａ）に示すように、ガラス窓４に隣接する位置には、後述する連結構造により互いに連結された雨戸２及び雨戸３を直立姿勢で積層的に収納する（表裏面が対面する状態で収納する）戸袋部６が本体フレーム７により形成されているとともに、ガラス窓４に対向する位置には、ガラス窓４を外方から覆うように雨戸２，３を一平面上に直列する状態に支持する支持部８が本体フレーム７により形成されている。
【００１８】
また、例えば屋内の外壁５内面適所には、各雨戸２，３の開閉を指示するための制御盤９が設置されており、この制御盤９において例えば「閉」の指示を行ったときには、戸袋部６に積層的に収納された雨戸２，３が、図１（ａ），（ｂ）の矢印Ａ，Ｂに示すように、外壁５側に位置する雨戸２（この位置を雨戸収納位置１０という、図１（ｃ）参照）から順に支持部８に連続的に引き出され、図１（ｃ）に示すように、ガラス窓４等を覆うように１平面上に直列する。この状態を閉状態という。その場合に、雨戸３は、雨戸２が戸袋部６内から引き出されるに伴って、その戸袋部６内において積層方向手前側（外壁５側）に引き寄せられ、雨戸収納位置１０に到達した後、外壁５の壁面に略沿って引き出される。
【００１９】
一方、閉状態において、制御盤９で「開」の指示を行ったときには、図（ｂ），（ｃ）の矢印Ｃ，Ｄに示すように、引き出し時（「閉」の指示を行ったとき）に後尾に位置する雨戸３から順に戸袋部６内に取り込み、戸袋部６内の奥側（外壁５と反対側）から順に積層して収納する。この状態を開状態という。その場合に、外壁５の壁面に略沿って戸袋部６側に移動する雨戸３は、戸袋部６内の雨戸収納位置１０に到達した後、積層方向奥側に移動し、その後に雨戸２が雨戸収納位置１０に到達することで積層的に収納される。
【００２０】
以下、戸開閉装置１の詳細な構造について説明する。図２は、戸開閉装置１の詳細な構造を示す斜視図である。
【００２１】
図２に示すように、戸開閉装置１は、大きく分けて、本体フレーム７、第１，第２雨戸２，３、雨戸２，３を走行させる駆動機構１１及び雨戸を閉状態にロックするロック機構１２を備えて構成されている。
【００２２】
本体フレーム７は、上述したように、雨戸２及び雨戸３を積層的に収納する戸袋部６を構成するとともに、雨戸２，３を閉状態に支持する支持部８とを形成するものである。戸袋部６は、家屋の外壁５等のガラス窓４に隣接する位置に取り付けられている一方、支持部８は、１平面上に直列した雨戸２，３がガラス窓４を外方から覆うようにガラス窓４の周囲に取り付けられている。戸袋部６の内壁面適所には、収納時に、戸袋部６内における雨戸３の奥側（外壁５と反対側）への移動をガイドして、雨戸２と雨戸３とを積層させるためのガイド部材１３が取り付けられている。なお、このガイド部材１３については、後述する。支持部８は、雨戸２，３の下端部に取り付けられたコロ１４が嵌まり込むガイド溝１５を有し、このガイド溝１５により雨戸２，３の移動をガイドするようになっている。
【００２３】
駆動機構１１は、モータユニット１６とこのモータユニット１６により発生した駆動力を雨戸２に伝達する動力伝達部１７とを備えてなる。
【００２４】
モータユニット１６は、戸袋部６の天板上面適所に取り付けられたモータ１８、及びこのモータ１８の出力を減速する減速機構１９を備えてなり、モータ１８の駆動力は減速機構１９のプーリ２０を介して動力伝達部１７に伝達される。
【００２５】
動力伝達部１７は、戸袋部６及び支持部８の各天板適所にブラケット２１を介して回転自在に取り付けられた一対のプーリ２２と、これらのプーリ２２に張設されたワイヤ２３とを備えてなる。ワイヤ２３は、その両端が雨戸２の上面に対向して固着された一対の固着板２４にそれぞれ取り付けられていて、上記減速機構１９のプーリ２０と所定の摩擦力で摺接するように構成されている。これにより、モータ１８が作動すると、ワイヤ２３がプーリ２０を介して走行し、その結果、雨戸２が走行する。プーリ２０の回転方向、延いては雨戸２，３の移動方向は、モータ１８の駆動方向に応じて変化する。すなわち、モータ１８が正回転すると、雨戸２，３が支持部８側から戸袋部６側に移動し、逆回転すると、雨戸２，３が戸袋部６側から支持部８側に移動する。このモータ１８の駆動方向は制御盤９内に備えられる後述の制御部４４により制御される。
【００２６】
図１（ｃ），図２に示すように、戸袋部６の内壁面であって、閉状態から戸袋部６側に移動する雨戸３の一端部に対向する位置には、収納時に戸袋部６内において雨戸３の奥側（外壁５と反対側）の所定位置と雨戸収納位置１０との間の移動をガイドするためのガイド部材１３が上下に取り付けられている。図１（ｃ）に示すように、ガイド部材１３は、当該ガイド部材１３の厚みが奥側に向かって漸次薄くなるように傾斜するテーパ部１３ａを有している。例えば、収納時、雨戸３は、このガイド部材１３のテーパ部１３ａに当接し、雨戸２から受ける移動力により、このテーパ部１３ａに摺接しながら奥側へスライドする。
【００２７】
雨戸２及び雨戸３は、図２に示すように、底部に取り付けられたコロ１４により支持部８のガイド溝１５に沿ってスライド可能に構成された平板状の部材である。雨戸２と雨戸３とは、以下に説明するように連結ユニット２５により連結されている。
【００２８】
図３は、雨戸２と雨戸３との連結部分の構造を示す拡大平面図、図４（ａ）は、図３のＸ−Ｘ線矢視図、図４（ｂ）は、図３のＹ−Ｙ線矢視図である。
【００２９】
図３，図４に示すように、連結ユニット２５は、両端に孔部２６ａを有する連結バー２６と、その孔部２６ａと相対回転自在に嵌合する嵌合ピン２７，２８とからなる。嵌合ピン２７は、図４（ａ）に示すように、大径の円盤部２７ａ、円柱部２７ｂ及び螺子部２７ｃを有する断面Ｔ字状の部材であり、螺子部２７ｃが雨戸２に形成されたネジ穴２ｂに螺合されることにより、雨戸２の戸袋側端部に固定されているとともに、円柱部２７ｂに連結バー２６が連結されている。連結バー２６は、円柱部２７ｂとの嵌合が外れないように円盤部２７ａにより上方への移動が規制されている。一方、嵌合ピン２８は、小径の円柱部２８ａの両端に大径の円盤部２８ｂを有する断面Ｈ字状の部材であり、一方の円盤部２８ｂが雨戸３の桟に形成されたガイド溝３ａにスライド可能に嵌合しているとともに、円柱部２８ａに連結バー２６が連結されている。連結バー２６は、円柱部２７ａとの嵌合が外れないように上側の円盤部２８ｂにより上方への移動が規制されている。このような構成が、雨戸２，３の端部の上下にそれぞれ設けられており、これにより、雨戸２と雨戸３とが連結されている。
【００３０】
雨戸２、雨戸３の端部のうち、図１（ｃ）に示す閉状態において隣接する各端部にはテーパ２ａ，３ａ（図３参照）が形成されている。このテーパ２ａ，３ａは、図３（ａ）に示すように、雨戸２と雨戸３とが１平面上に直列している閉状態から、図１（ｂ）に示すように、雨戸２が雨戸３に対して相対的に外壁５側にスライドするようにその傾斜が設定されているもので、雨戸２と雨戸３とは、そのテーパ２ａ，３ａにおいて摺接しながらスライド可能に構成されている。
【００３１】
以上の構成により、雨戸２と雨戸３とを、戸袋部６内において外壁５の壁面と垂直な方向に積層する状態と、支持部８において１平面上に直列する状態とに変化させることができる。
【００３２】
すなわち、戸袋部６から雨戸２，３を引き出す場合、雨戸３側の嵌合ピン２８は、図１（ａ）に示すように、ガイド溝３ａの左端部に位置しており、駆動機構１１により雨戸２が駆動されると、雨戸３側の嵌合ピン２８とガイド溝３ａとのスライド構造により、雨戸２のみ外壁５の壁面に略沿って移動する。この嵌合ピン２８がガイド溝３ａの支持部８側端部（図１の右端部）に到達すると、図３（ｂ）に示すように、雨戸２が支持部８側に移動するに伴って、連結バー２６が雨戸２側の嵌合ピン２７の位置を回動中心として時計回り（矢印Ｅ方向）に回動し、雨戸３が積層方向の手前側（外壁５側）に平行移動する。これにより、雨戸３は雨戸収納位置１０に到達し、雨戸２と雨戸３とが１平面上に直列することとなる。すなわち、引き出し時には、雨戸２と雨戸３とは、直列方向に離間し、積層方向に近接する平行移動を行うことにより、１平面上に直列する。そして、この状態からさらに雨戸２が駆動されることにより、雨戸３は、雨戸２と同一平面上に直列したまま雨戸２と一体的に移動し、閉状態となる。
【００３３】
一方、この直列状態から、雨戸２，３を戸袋部６に収納する場合、駆動機構１１により雨戸２が戸袋部６側へ駆動されると、雨戸３は、雨戸収納位置１０に到達するまで、雨戸２と同一平面上で直列したまま雨戸２と一体的に戸袋部６側に移動する。そして、雨戸３が雨戸収納位置１０に到達すると、ガイド部材１３によるガイド、雨戸２，３に形成されたテーパ２ａ，３ａ間のスライド構造及び雨戸２から受ける移動力により、図３（ｂ）に示すように、連結バー２６は、雨戸２側の嵌合ピン２７の位置を回動中心として反時計回り（矢印Ｆ方向）に回動することで、雨戸３が積層方向の奥側（外壁５と反対側）に平行移動する。そして、連結バー２６が外壁面に略垂直な姿勢になると、雨戸３側の嵌合ピン２８とガイド溝３ａとのスライド構造を介して、雨戸２が外壁５の壁面に略沿ってガイド部材１３側に移動する。そして、雨戸収納位置１０に到達すると、雨戸２と雨戸３とが積層状態となる。すなわち、収納時には、雨戸２と雨戸３とは、直列方向に近接し、積層方向に離間する平行移動を行うことにより、積層状態となる。
【００３４】
図５は、ロック機構１２のロック前の状態を示す斜視図、図６は、ロック機構１２のロック構造の説明図である。
【００３５】
図５，図６に示すように、ロック機構１２は、ロック部材２９と、ソレノイド３０とを備えてなる。
【００３６】
ロック部材２９は、雨戸３の戸袋部６側の端部適所にブラケット３１を介して取り付けられた断面Ｌ字型の部材であり、一方の板面部２９ａ（以下、第１板面部２９ａという）が支持部８側に突出するように取り付けられているとともに、第１板面部２９ａの適所には、ソレノイド３０のソレノイド軸３０ａが嵌合する嵌合穴２９ｂが形成されている。
【００３７】
ソレノイド３０は、戸袋部６内におけるガイド部材１３と対向する内壁面の適所にブラケット３２を介して取り付けられている（図１参照）。ソレノイド３０は、ソレノイド軸３０ａをソレノイド３０本体から付勢スプリング３３により下方に付勢する付勢構造を有し、ソレノイド３０本体から下方に突出するソレノイド軸３０ａの下端には、ロック部材２９に対向するテーパ部３０ｂが形成されている。雨戸２，３の引出し時には、図６（ａ）に示すように、第１板面部２９ａによりソレノイド軸３０ａを付勢スプリング３３の付勢力に抗して上方に押し上げながら、ロック部材２９とソレノイド軸３０ａが第１板面部２９ａとテーパ部３０ｂとにおいてスライドする。そして、図６（ｂ）に示すように、ソレノイド軸３０ａの位置と第１板面部２９ａの嵌合穴２９ｂの位置とが一致すると、図６（ｃ）に示すように、ソレノイド軸３０ａが第１板面部２９ａの嵌合穴２９ｂに嵌合する。これにより、雨戸３を含む雨戸全体の移動が規制されるロック状態となる。
【００３８】
本実施形態では、後述するように、制御盤９において「開」の指示がなされると、ソレノイド３０は、所定電流の供給による電磁誘導作用により、ソレノイド軸３０ａを付勢スプリング３３による付勢力に抗して上方に退避させるようになっており、これにより、ロック状態が自動的に解除される。
【００３９】
さらに、手動でロック解除を行えるように、ソレノイド軸３０ａの適所には、水平に貫通する長尺の解除ピン３４が取り付けられている。この解除ピン３４の一端部は、戸袋部６の壁部に形成された、上下方向に延びる貫通穴６ａを介して支持部８側に突出している。これにより、解除ピン３４を介してソレノイド軸３０ａを付勢スプリング３３による付勢力に抗して手動で押し上げることで、例えば、停電が発生した時等でも、ロック解除を手動で行うことができる。
【００４０】
なお、ロック機構１２の構成において、ロック時にソレノイド軸３０ａが上方に突出し、このソレノイド軸３０ａがロック部材２９の嵌合穴２９ｂに嵌合するように構成してもよいが、この場合、当該戸開閉装置１の電源がＯＦＦとなると、重力によりソレノイド軸３０ａが下方に退避することとなり、外部から手動で雨戸２，３の開放が可能となるため、本実施形態では、防犯性等を向上するため、当該戸開閉装置１の電源ＯＦＦ時においても、雨戸２，３の移動規制が解除されないように、ソレノイド軸３０ａを下向きに突出させる構成としている。
【００４１】
図７は、制御盤９の外観図である。
【００４２】
制御盤９は、例えば屋内の内壁適所に取り付けられており、図７に示すように、雨戸２，３を開状態にセットする指示を行うための開ボタン３５、雨戸２，３を閉状態にセットする指示を行うための閉ボタン３６、及び引出し時または収納時に雨戸２，３の移動を停止する指示を行うための停止ボタン３７とを備える。制御盤９には、戸開閉装置１の動作を統括的に制御する制御部４４が内蔵されており、これらのボタン３５〜３７による指示信号はその制御部４４に送信される。
【００４３】
次に、戸開閉装置１のブロック構成について説明する。図８は、戸開閉装置１のブロック構成図である。
【００４４】
図８に示すように、戸開閉装置１は、スイッチ群３８、モータ１８、ソレノイド３０、電流検出器４２、温度センサ４３及び制御部４４を備える。
【００４５】
スイッチ群３８は、制御盤９の開ボタン３５、閉ボタン３６及び停止ボタン３７に対応して設けられた開スイッチ３９、閉スイッチ４０及び停止スイッチ４１からなる。
【００４６】
モータ１８及びソレノイド３０は、図２に示すモータ１８及びソレノイド３０に相当するものである。
【００４７】
電流検出器４２は、モータ１８に供給される電流の電流値を検出するものである。モータ１８に供給される電流は、雨戸２の移動中においては所定の基準値より小さくなり、雨戸２が機械的に移動規制されると所定の基準値より大きくなる、すなわちモータ１８の駆動負荷に応じてモータ１８への供給電流が変動することから、本実施形態では、この電流値を検出することで、雨戸２が機械的に移動規制されたか、あるいは移動中であるか等を監視して、モータ１８の作動を制御するようになっている。例えば電流値が基準値より大きくなると、雨戸２が戸袋部６または支持部８において機械的に移動規制されたものと判断して、モータ１８の作動を停止する。
【００４８】
温度センサ４３は、モータ１８の温度を検出するものである。上記のように、電流検出器４２の電流検出値に基づくモータ１８の制御を行うようにしているが、電流検出器４２の故障や何らかの事情で電流検出器４２による電流検出が失敗となった場合に、雨戸２が機械的に移動規制されているにもかかわらず、モータ１８に電流が供給され続けると電力の浪費となることから、本実施形態では、この不必要な電力供給を好適に停止させるべく、モータ１８の温度にも基づいてモータ１８の作動を制御すべく、モータ１８の温度を検出するようにしている。
【００４９】
制御部４４は、ボタン操作検出部４５、ソレノイド制御部４６、モータ制御部４７及びタイマ４８を備える。
【００５０】
ボタン操作検出部４５は、スイッチ群３９からのＯＮ／ＯＦＦ信号に基づいて、操作者による操作ボタン３５〜３７の操作を検出するものである。
【００５１】
ソレノイド制御部４６は、ボタン操作検出部４５による開ボタン３５の操作の検出信号が出力されたときに、ソレノイド軸３０ａを上方に退避させてロックを解除すべく、ソレノイド３０を所定時間（例えば３秒）だけ作動させるものである。
【００５２】
モータ制御部４７は、電流検出器４２からの電流検出信号と温度センサ４３からの温度信号とに基づいて、モータ１８の駆動を制御するものである。
【００５３】
タイマ４８は、ロックを解除すべくソレノイド３０の作動時間を計時するものである。
【００５４】
次に、戸開閉装置１の開閉処理について説明する。図９は、戸開閉装置１の開処理を示すフローチャートである。
【００５５】
図９に示すように、雨戸２及び雨戸３が１平面上に直列した閉状態において、ボタン操作検出部４５により制御盤９の開ボタン３５の押圧操作が検出される（ステップ♯１でＹＥＳ）と、ソレノイド制御部４６によりソレノイド３０がＯＮにされるとともに、制御部４４のタイマ４８がＯＮとされる（ステップ♯２）。これにより、図６（ｃ）に示す嵌合状態からソレノイド軸３０ａが上方に退避し、図６（ａ）に示すように、ロック部材２９の第１板面部２９ａとソレノイド軸３０ａとの嵌合が解除され、雨戸２，３のロックが解除される。
【００５６】
そして、モータ制御部４７によりモータ１８の正方向の作動が開始される（ステップ♯３）。これにより、プーリ２０が図２の矢印Ｇ方向に回転され、ワイヤ２３が矢印Ｉ方向に走行し、雨戸２が戸袋部６側に移動する。一方、タイマ４８により所定時間（例えば３秒）が計時される（ステップ♯４でＹＥＳ）と、ソレノイド制御部４６によりソレノイド３０への電流供給が停止される（ステップ♯５）。
【００５７】
次に、モータ制御部４７により、電流検出器４２及び温度センサ４３からの検出信号に基づくモータ１８の速度制御が開始される（ステップ♯６）。そして、電流検出器４２により検出された電流と所定の基準値とがモータ制御部４７により比較され（ステップ♯７）、検出電流が上記基準値より小さいとき（ステップ♯７でＮＯ）、すなわち雨戸２が移動中であるときには、モータ制御部４７によりモータ１８の作動が継続される一方、検出電流が基準値以上のとき（ステップ♯７でＹＥＳ）、すなわち雨戸２が機械的に移動規制されたときには、モータ制御部４７によりモータ１８の作動が停止される（ステップ♯８）。
【００５８】
図１０は、戸開閉装置１の閉処理を示すフローチャートである。
【００５９】
図１０に示すように、雨戸２及び雨戸３が積層的に戸袋部６に収納された開状態において、ボタン操作検出部４５により制御盤９の閉ボタン３６の押圧操作が検出される（ステップ♯１１でＹＥＳ）と、モータ制御部４７によりモータ１８の逆方向の作動が開始される（ステップ♯１２）。これにより、プーリ２０が矢印Ｈ方向に回転され、ワイヤが矢印Ｊ方向に走行し、雨戸２が支持部８側に移動する。
【００６０】
次に、モータ制御部４７により、電流検出器４２及び温度センサ４３からの検出信号に基づくモータ１８の速度制御が開始される（ステップ♯１３）。そして、電流検出器４２により検出された電流と所定の基準値とがモータ制御部４７により比較され（ステップ♯１４）、検出電流が上記基準値より小さいとき（ステップ♯１４でＮＯ）には、すなわち雨戸２が移動中であるときには、モータ制御部４７によりモータ１８の作動が継続される一方、検出電流が基準値以上のとき（ステップ♯１４でＹＥＳ）、すなわち雨戸２が機械的に移動規制されたときには、モータ制御部４７によりモータ１８の作動が停止される（ステップ♯１５）。
【００６１】
図１１は、戸開閉装置１の開閉停止処理を示すフローチャートである。
【００６２】
図１１に示すように、雨戸２及び雨戸３の移動中において、ボタン操作検出部４５により制御盤９の停止ボタン３７の押圧操作が検出される（ステップ♯２１でＹＥＳ）と、モータ制御部４７によりモータ１８の作動が停止される（ステップ♯２２）。
【００６３】
以上のように、本実施形態に係る戸開閉装置１は、自動的に雨戸を開閉する構成を備えるので、面倒な作業を伴うことなく、簡単に雨戸の開閉及び停止を行うことができる。
【００６４】
また、連結ユニット２５により、雨戸２と雨戸３とを相対的に積層方向及び直列方向に平行移動可能に連結するようにしたので、雨戸２と雨戸３とを積層状態及び直列状態にすることができる。
【００６５】
また、雨戸２、雨戸３の各側端部に、雨戸２と雨戸３とが１平面上に直列している閉状態から、雨戸２が雨戸３に対して外壁５側にスライドするように傾斜が設定されたテーパ２ａ、３ａを形成したので、雨戸２と雨戸３との直列状態と積層状態戸の間で状態変化をスムーズに行わせることができる。
【００６６】
また、収納時に、雨戸３を戸袋部６内の奥側の所定位置と雨戸収納位置１０との間の移動をガイドするガイド部材１３を設けたので、雨戸２と雨戸３とをスムーズに積層させることができる。
【００６７】
また、雨戸２，３が閉状態となるとロック部材２９に形成された嵌合穴２９ａとソレノイド３０のソレノイド軸３０ａとが嵌合するロック機構１２を設けたので、雨戸３を含む雨戸全体の移動を確実に規制することができる。
【００６８】
また、ソレノイド軸３０ａを付勢スプリング３３による付勢力に抗して手動で押し上げるための解除ピン３４を設けたので、例えば、停電時等に、ロック解除を手動で行うことができる。
【００６９】
本発明は、上記実施形態に限られず、以下の変形形態（１）〜（５）を採用し得る。
【００７０】
（１）上記実施形態では、雨戸を戸の一例として挙げたが、これに限られず、他の種類の戸であってもよい。
【００７１】
（２）上記実施形態では、説明の簡単化のため、雨戸を２枚としたが、雨戸の枚数はこれに限られず、必要に応じてその枚数は適宜設定可能である。雨戸の枚数が３枚以上の場合、引出し時に先頭に位置する雨戸を駆動機構１１により駆動するとともに、閉状態において隣接する雨戸間に上記のような連結構造や端部におけるスライド構造を採用するとよい。
【００７２】
（３）雨戸２，３を連結する連結構造は、上記のように、戸袋部６及び支持部８において雨戸２，３が常時連結された構造のものに限られず、他の構造であってもよい。例えば、図１２に示すように、雨戸２の端部適所に釣り針状の係合部材４９を取り付けるとともに、雨戸３の端部適所に直立する係合ピン５０を取付け、収納時、戸袋部６内において図１２（ａ）に示すように、係合部材４９と係合ピン５０との係合が解除され、引き出し時、支持部８において図１２（ｂ）に示すように係合部材４９と係合ピン５０とが係合する構成のように、戸袋部６から支持部８に引き出される際に雨戸２，３が連結され、支持部８から戸袋部６に収納される際に雨戸２，３の連結が解除される構成としてもよい。
【００７３】
（４）モータは、ローラモータを採用してもよい。ローラモータを採用した場合には、駆動機構１１の構成が上記実施形態に比してよりコンパクトになるという利点がある。
【００７４】
（５）本実施形態では、モータに供給される電流の電流値を検出し、この電流値により雨戸２が機械的に移動規制されたか、あるいは移動中であるか等を監視して、モータ１８の作動を制御するようにしたが、これに限られず、モータがパルス信号により作動するパルスモータである場合には、雨戸２の移動距離（駆動量）に対応するパルス数を予め算出しておき、このパルス数で雨戸２の駆動を制御するようにしてもよい。
【００７５】
【発明の効果】
請求項１に記載の発明によれば、複数の戸を、戸袋部において、平面状の複数の戸を表裏面が対面する状態で収納され、戸袋部に連接して配置された支持部において、戸袋部から引き出されたときに隣接する戸の側端面が互いに当接した直列配置状態で戸を支持するとともに、連結構造により互いに隣接する戸を連結した状態で、駆動部により戸袋部と支持部との間で移動するように構成し、少なくとも１の戸と本体フレームとの間に構成されたロック機構により、複数の戸が引き出し位置に位置したとき、この１の戸の移動を規制し、開閉指示部により駆動制御部に駆動部の制御が指示されると、駆動制御部により駆動部を正逆方向に作動させる制御を行うように構成したので、複数の戸の開閉動作を自動的に行うことができ、その結果、複数の戸を簡単に開閉することができる。
【００７６】
請求項２に記載の発明によれば、ロック機構による規制を手動解除可能な解除操作部を備えたので、ロック機構による規制を手動で解除することができる。
【００７７】
請求項３に記載の発明によれば、互いに隣接する戸の一方の戸の裏面に幅方向に亘ってガイド部材を形成するとともに、互いに隣接する戸の他方の戸の裏面側端部に、先端がガイド部材にスライド可能に係合する係合部を取り付けたので、複数の戸を、表裏面が対面する状態と戸袋部から引き出されたときに隣接する戸が直列配置する状態との間で移動させることができる。
【００７８】
請求項４に記載の発明によれば、戸の当接面となる側端面を傾斜面としたので、表裏面が対面する状態と戸袋部から引き出されたときに隣接する戸が直列配置する状態との間の移動をスムーズにガイドすることができる。
【００７９】
請求項５に記載の発明によれば、戸袋部に、収納位置と引き出し位置との間で複数の戸を表裏対面姿勢と直列配置姿勢との間に切り換える切換ガイドを備えたので、この切換ガイドにより、収納位置と引き出し位置との間で、複数の戸を表裏対面姿勢と直列配置姿勢とに切り換えることができる。
【００８０】
請求項６に記載の発明によれば、開閉指示部からの開成指示があったときにロック状態を解除する解除手段を備えたので、ロック状態を自動的に解除することができる。
【００８１】
請求項７に記載の発明によれば、駆動部を、電動モータと、少なくとも２つのローラと、モータ回転軸を介して前記２つのローラ間に張設され、一部で前記引き出し時に先頭となる戸に係止する係止部材とから構成したので、戸の開閉駆動を行う駆動部の構造を簡単に構成することができる。
【００８２】
請求項８に記載の発明によれば、駆動制御部を、駆動部の駆動負荷の変動から引き出し時に先頭となる戸が引き出し位置に達したことを検出し、駆動部の作動を停止させるものとしたので、引き出し位置に達したことを機械的に検出する検出センサ等を備えることが必要なく、コストの低減を図ることができる。
【図面の簡単な説明】
【図１】戸開閉装置の構成及び動作を概略的に示す平面図である。
【図２】戸開閉装置の詳細な構造を示す斜視図である。
【図３】第１雨戸と第２雨戸との連結部分の構造を示す拡大平面図である。
【図４】図３のＸ−Ｘ線矢視図である。
【図５】ロック機構のロック前の状態を示す斜視図である。
【図６】ロック機構のロック構造の説明図である。
【図７】制御盤の外観図である。
【図８】戸開閉装置のブロック構成図である。
【図９】戸開閉装置の開処理を示すフローチャートである。
【図１０】戸開閉装置の閉処理を示すフローチャートである。
【図１１】戸開閉装置の開閉停止処理を示すフローチャートである。
【図１２】連結構造の他の形態を示す平面図である。
【符号の説明】
１　　　戸開閉装置
２，３　雨戸
４　　　ガラス窓
５　　　外壁
６　　　戸袋部
７　　　本体フレーム
８　　　支持部
９　　　制御盤
１０　　雨戸収納位置
１１　　駆動機構
１２　　ロック機構
１３　　ガイド部材
１５　　ガイド溝
２０　　プーリ
２３　　ワイヤ
２５　　連結ユニット
２６　　連結バー
２７，２８　嵌合ピン
２９　　ロック部材
３０　　ソレノイド
３３　　付勢スプリング
３４　　解除ピン
３５〜３７　ボタン
４２　　電流検出器
４３　　温度センサ
４４　　制御部
【図１】
2004124533.tif 000003
【図２】
2004124533.tif 000004
【図３】
2004124533.tif 000005
【図４】
2004124533.tif 000006
【図５】
2004124533.tif 000007
【図６】
2004124533.tif 000008
【図７】
2004124533.tif 000009
【図８】
2004124533.tif 000010
【図９】
2004124533.tif 000011
【図１０】
2004124533.tif 000012
【図１１】
2004124533.tif 000013
【図１２】
2004124533.tif 000014